(57)【要約】【課題】  排紙性能と印刷速度が合わなくなることによる不具合を未然に防止できる印刷装置を提供する。【解決手段】  複数の給紙装置に給紙方向のサイズが異なる印刷用紙がセットされている場合、給紙装置が変更されたとき、変更された給紙装置にセットされている印刷用紙のサイズが所定長より長いかどうかを判断し、その判断結果によって操作パネルの表示装置に使用できる適正な印刷速度を表示する。表示された印刷速度の範囲から印刷速度を選択することにより、用紙サイズが長いことによる排紙ジャムが生じることを防止できる。【選択図】      図４
2006110792.tif 000002
【特許請求の範囲】
【請求項１】
複数の給送装置を装着可能な印刷装置において、
上記複数の給送装置の中から使用する給送装置の選択及び変更が可能な給送装置選択・変更手段と、印刷速度表示手段と、印刷速度の選択及び変更が可能な印刷速度選択・変更手段と、選択された給送装置にセットされている記録媒体のサイズデータに基づいて適正な印刷速度を上記印刷速度表示手段に表示する制御手段を有していることを特徴とする印刷装置。
【請求項２】
複数の給送装置を装着可能な印刷装置において、
上記複数の給送装置の中から使用する給送装置の選択及び変更が可能な給送装置選択・変更手段と、印刷速度表示手段と、印刷速度の選択及び変更が可能な印刷速度選択・変更手段と、記録媒体の種類の選択及び変更が可能な記録媒体種類選択・変更手段と、選択された給送装置にセットされている記録媒体の種類データに基づいて適正な印刷速度を上記印刷速度表示手段に表示する制御手段を有していることを特徴とする印刷装置。
【請求項３】
複数の給送装置を装着可能な印刷装置において、
上記複数の給送装置の中から使用する給送装置の選択及び変更が可能な給送装置選択・変更手段と、印刷速度表示手段と、印刷速度の選択及び変更が可能な印刷速度選択・変更手段と、記録媒体の種類の選択及び変更が可能な記録媒体種類選択・変更手段と、選択された給送装置にセットされている記録媒体のサイズデータ及び記録媒体の種類データに基づいて適正な印刷速度を上記印刷速度表示手段に表示する制御手段を有していることを特徴とする印刷装置。
【請求項４】
請求項１又は３記載の印刷装置において、
上記複数の給送装置の中の何れかに大量給紙ユニットが接続され、該大量給紙ユニットが使用される場合には、上記制御手段は上記大量給紙ユニットから送信される記録媒体のサイズデータに基づいて印刷速度を決定することを特徴とする印刷装置。
【請求項５】
請求項１又は３記載の印刷装置において、
上記給送装置に記録媒体のサイズを検知する記録媒体サイズ検知手段が設けられ、上記制御手段は上記記録媒体サイズ検知手段からの検知情報に基づいて印刷速度を決定することを特徴とする印刷装置。
【請求項６】
請求項１記載の印刷装置において、
上記給送装置選択・変更手段、上記印刷速度表示手段及び上記印刷速度選択・変更手段が装置本体の操作パネルに一体に設けられていることを特徴とする印刷装置。
【請求項７】
請求項２又は３記載の印刷装置において、
上記給送装置選択・変更手段、上記印刷速度表示手段、上記印刷速度選択・変更手段及び上記記録媒体種類選択・変更手段が装置本体の操作パネルに一体に設けられていることを特徴とする印刷装置。
【請求項８】
請求項１乃至５のうちの何れかに記載の印刷装置において、
孔版印刷方式の構成を有していることを特徴とする印刷装置。
【発明の詳細な説明】
【技術分野】
【０００１】
本発明は、孔版印刷装置等の印刷装置に関し、詳しくは、複数の給送装置を装着可能な印刷装置に関する。
【背景技術】
【０００２】
例えば孔版印刷装置では、第１給紙装置としての本体給紙装置と、第２給紙装置としての多段給紙装置（給紙バンク）が同時に装着され、操作パネル上でユーザーが任意に選択できるようになっている。印刷速度も操作パネル上で任意に選択して設定できるようになっている。
孔版印刷装置においては、従来、印刷最高速度が１２０枚／分（印刷設定速度５速（５段階））の性能であったが、近年、生産性向上のためにさらに速い印刷速度での印刷をしたいというユーザーの要望があり、印刷最高速度が１３０枚／分（印刷設定速度６速（６段階））の性能のものが開発されている。
【０００３】
【特許文献１】特開平５−３１８８９９号公報
【特許文献２】特開平６−１９９０２８号公報
【特許文献３】特開平６−２４７０２７号公報
【特許文献４】特開平８−７２３８０号公報
【特許文献５】特開平９−１１５９７号公報
【特許文献６】特開２００４−１６７８０６号公報
【発明の開示】
【発明が解決しようとする課題】
【０００４】
しかしながら、印刷速度を速くすると、排紙部から排出された印刷済みの用紙（記録媒体）が排紙トレイに積載される際に、前の印刷用紙が積載完了する前に次の印刷用紙が排出されてぶつかってしまい、排紙ジャムが発生するという問題があった。
例えば、印刷設定速度（単に「印刷速度」ともいう）６速の性能を持つ孔版印刷装置においては、長い印刷用紙、例えばＡ３サイズ（長さ４２０ｍｍ）の印刷用紙を用いて印刷すると、排紙ジャムが発生していた。このような場合、ユーザーは印刷速度を最高速度の６速から１段低い５速に変更して印刷を行っていた。
すなわち、オペレータはジャムになって初めて用紙サイズが原因で排紙性能と印刷速度が合っていないことを認識でき、その後印刷速度を設定し直していた。
このため、ジャム処理が面倒であるとともに、無駄な作業時間（ダウンタイム）を発生させるという問題があった。
【０００５】
また、用紙種類においても、厚紙、薄紙では、普通紙とは排紙性能が異なることが知られている。例えば、厚紙では排紙時に勢い良く排紙されるために印刷速度が速くても問題はないが、薄紙では紙に腰がなく排紙時に勢い良く排紙されないために印刷速度が速い場合には排紙ジャムが生じていた。
さらに、同じ用紙種類でも用紙サイズによっては排紙ジャムが生じていた。例えば厚紙の大きいサイズの用紙と小さいサイズの用紙では、同じ厚紙でも排紙状態が異なり、印刷速度が速い場合、大きいサイズでは排紙ジャムが生じていた。
【０００６】
本発明は、排紙性能と印刷速度が合わなくなることによる不具合を未然に防止できる印刷装置の提供を、その主な目的とする。
【課題を解決するための手段】
【０００７】
上記目的を達成するために、請求項１記載の発明では、複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、選択された給送装置にセットされている記録媒体のサイズデータに基づいて適正な印刷速度を上記印刷速度表示手段に表示する制御手段を有していることを特徴とする。
【０００８】
請求項２記載の発明では、複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、記録媒体の種類の選択及び変更が可能な記録媒体種類選択・変更手段と、選択された給送装置にセットされている記録媒体の種類データに基づいて適正な印刷速度を上記印刷速度表示手段に表示する制御手段を有していることを特徴とする。
【０００９】
請求項３記載の発明では、複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、記録媒体の種類の選択及び変更が可能な記録媒体種類選択・変更手段と、選択された給送装置にセットされている記録媒体のサイズデータ及び記録媒体の種類データに基づいて適正な印刷速度を上記印刷速度表示手段に表示する制御手段を有していることを特徴とする。
【００１０】
請求項４記載の発明では、請求項１又は３記載の印刷装置において、上記複数の給送装置の中の何れかに大量給紙ユニットが接続され、該大量給紙ユニットが使用される場合には、上記制御手段は上記大量給紙ユニットから送信される記録媒体のサイズデータに基づいて印刷速度を決定することを特徴とする。
【００１１】
請求項５記載の発明では、請求項１又は３記載の印刷装置において、上記給送装置に記録媒体のサイズを検知する記録媒体サイズ検知手段が設けられ、上記制御手段は上記記録媒体サイズ検知手段からの検知情報に基づいて印刷速度を決定することを特徴とする。
【００１２】
請求項６記載の発明では、請求項１記載の印刷装置において、上記給送装置選択・変更手段、上記印刷速度表示手段及び上記印刷速度選択・変更手段が装置本体の操作パネルに一体に設けられていることを特徴とする。
【００１３】
請求項７記載の発明では、請求項２又は３記載の印刷装置において、上記給送装置選択・変更手段、上記印刷速度表示手段、上記印刷速度選択・変更手段及び上記記録媒体種類選択・変更手段が装置本体の操作パネルに一体に設けられていることを特徴とする。
【発明の効果】
【００１４】
請求項１記載の発明によれば、複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、選択された給送装置にセットされている記録媒体のサイズデータに基づいて適正な印刷速度を上記印刷速度表示手段に表示する制御手段を有していることとしたので、給送装置を変更した場合、オペレータは記録媒体のサイズを気にしなくても、排紙ジャムを来たすことなくその条件下における最高速度での印刷が可能となる。
【００１５】
請求項２記載の発明によれば、複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、記録媒体の種類の選択及び変更が可能な記録媒体種類選択・変更手段と、選択された給送装置にセットされている記録媒体の種類データに基づいて適正な印刷速度を上記印刷速度表示手段に表示する制御手段を有していることとしたので、給送装置を変更した場合、オペレータは記録媒体の種類を気にしなくても、排紙ジャムを来たすことなくその条件下における最高速度での印刷が可能となる。
【００１６】
請求項３記載の発明によれば、複数の給送装置を装着可能な印刷装置において、上記複数の給送装置の中から使用する給送装置の選択及び変更が可能な給送装置選択・変更手段と、印刷速度表示手段と、印刷速度の選択及び変更が可能な印刷速度選択・変更手段と、記録媒体の種類の選択及び変更が可能な記録媒体種類選択・変更手段と、選択された給送装置にセットされている記録媒体のサイズデータ及び記録媒体の種類データに基づいて適正な印刷速度を上記印刷速度表示手段に表示する制御手段を有していることとしたので、給送装置を変更した場合、オペレータは記録媒体のサイズ及び種類を気にしなくても、排紙ジャムを来たすことなくその条件下における最高速度での印刷が可能となる。
【００１７】
請求項４記載の発明によれば、請求項１又は３記載の印刷装置において、上記複数の給送装置の中の何れかに大量給紙ユニットが接続され、該大量給紙ユニットが使用される場合には、上記制御手段は上記大量給紙ユニットから送信される記録媒体のサイズデータに基づいて印刷速度を決定することとしたので、大量給紙ユニットを接続した場合でも、給送装置を変更したとき、オペレータは記録媒体のサイズ及び種類を気にしなくても、排紙ジャムを来たすことなくその条件下における最高速度での印刷が可能となる。
【００１８】
請求項５記載の発明によれば、請求項１又は３記載の印刷装置において、上記給送装置に記録媒体のサイズを検知する記録媒体サイズ検知手段が設けられ、上記制御手段は上記記録媒体サイズ検知手段からの検知情報に基づいて印刷速度を決定することとしたので、給送装置を変更したとき、オペレータは記録媒体のサイズ及び種類を気にしなくても、また記録媒体のサイズを設定する手間を要さずに、排紙ジャムを来たすことなくその条件下における最高速度での印刷が可能となる。
【００１９】
請求項６記載の発明によれば、請求項１記載の印刷装置において、上記給送装置選択・変更手段、上記印刷速度表示手段及び上記印刷速度選択・変更手段が装置本体の操作パネルに一体に設けられていることとしたので、個々に設ける場合に比べて構成の簡易化を図ることができる。
【００２０】
請求項７記載の発明によれば、請求項２又は３記載の印刷装置において、上記給送装置選択・変更手段、上記印刷速度表示手段、上記印刷速度選択・変更手段及び上記記録媒体種類選択・変更手段が装置本体の操作パネルに一体に設けられていることとしたので、個々に設ける場合に比べて構成の簡易化を図ることができる。
【００２１】
請求項８記載の発明によれば、請求項１乃至５のうちの何れかに記載の印刷装置において、孔版印刷方式の構成を有していることとしたので、大量印刷コストが安価な孔版印刷装置において、請求項１乃至７のうちの何れかの効果を得ることができる。
【発明を実施するための最良の形態】
【００２２】
以下、本発明の第１の実施形態を図１乃至図４に基づいて説明する。
まず、図１に基づいて本実施形態における印刷装置としての孔版印刷装置の構成の概略を説明する。符号１は原稿画像を読み取るためのスキャナ（原稿読取装置）を示しており、該スキャナ１の上面には開閉可能な圧板２と、複数枚の原稿を自動的に順次送るための自動原稿搬送装置（ＡＤＦ）３が設けられている。スキャナ１の内部には原稿のサイズを検知するための原稿サイズ検知センサ４が配置されている。
製版部５において、ロール状態から繰り出されるマスタ６は、プラテンローラ７によってサーマルヘッド８に押し付けられ、プラテンローラ７の回転によって穿孔製版されながら搬送される。製版済みのマスタ６は給版ローラ対１０により、印刷ドラム１２の外周面に設けられたマスタクランパ１１に向けて搬送され、その先端部をマスタクランパ１１にクランプされて印刷ドラム１２の回転に伴って該印刷ドラム１２の外周面に巻き付けられる。マスタ６は所定長さで上刃９ａと下刃９ｂからなるカッター９により切断される。
【００２３】
記録媒体としての印刷用紙１３は、給送装置としての本体給紙装置（以下、「第１給紙装置」ともいう）１４から、又は印刷装置本体下部に配置された給送装置としての多段給紙装置（以下、「第２給紙装置」ともいう）１５から給紙される。
第１給紙装置１４は、昇降自在な給紙台１６、給紙コロ１７及びピックアップコロ１８等を備えている。印刷用紙１３は、給紙コロ１７及びピックアップコロ１８により最上のものから順に１枚ずつ分離されて給紙され、レジストローラ対１９へ向けて搬送される。
第１給紙装置１４は変速数６の性能を有しており、１速が６０枚／分、２速が７５枚／分、３速が９０枚／分、４速が１０５枚／分、５速が１２０枚／分、６速が１３０枚／分である。これらの搬送速度は、各段階の印刷速度に対応している。
給紙台１６には、印刷用紙１３の有無を検知する用紙センサ５２Ａと、所定長さ（ここでは３０９ｍｍ）より長い印刷用紙１３を検知する記録媒体サイズ検知手段としての用紙サイズ検知センサ５３Ａが設けられている。用紙サイズ検知センサ５３Ａは用紙先端から３０９ｍｍの位置に配置されており、用紙センサ５２により検知された場合にはその長さは３０９ｍｍ以上ということになる。用紙センサ５２Ａと用紙サイズ検知センサ５３Ａは共に反射型フォトセンサで構成されている。
【００２４】
第２給紙装置１５は、給紙カセット２０、２１及びそれぞれに配置された給紙コロ２２及びピックアップコロ２３等を備えている。各給紙カセット２０、２１に収容された印刷用紙１３は、給紙コロ２２及びピックアップコロ２３により最上のものから順に１枚ずつ分離されて給紙され、搬送ローラ対２４を介してレジストローラ対１３へ向けて搬送される。
第２給紙装置１５も第１給紙装置１４と同様に変速数６の性能を有している。給紙カセット２０、２１にも給紙台１６と同様に、それぞれ用紙センサ５２Ｂ及び用紙サイズ検知センサ５３Ｂ、用紙センサ５２Ｃ及び用紙サイズ検知センサ５３Ｃが設けられている。
【００２５】
印刷用紙１３はレジストローラ対１９で一旦停止されて斜めずれを修正された後、所定のタイミングで印刷ドラム１２と押圧手段としてのプレスローラ２５の間の印圧部へ搬送される。
印圧部において印刷用紙１３はプレスローラ２５により印刷ドラム１２に押し付けられる。印刷ドラム１２の内部に設けられた図示しないインキ供給手段により供給されたインキが印圧により印刷ドラム１２の孔部及びマスタ６穿孔部を通って滲み出し、印刷用紙１３に転移することで画像が形成される。
印刷済みの印刷用紙１３は、吸引ファンを有する排紙搬送装置２６によって裏面を吸引されながら搬送され、排紙台２７上に順次排出・積載される。使用済みのマスタ６は、排版部２８の排版ローラ対２９により印刷ドラム１２の外周面から剥離され、排版収納ボックス３０へ収納される。
【００２６】
図２に示すように、孔版印刷装置の図示しない装置本体には操作パネル３２が設けられており、操作パネル３２により入力（設定）された情報は制御手段３３に出力される。制御手段３３は、Ｉ／Ｏインターフェース、ＣＰＵ、ＲＯＭ、ＲＡＭ等を有するマイクロコンピュータである。制御手段３３は操作パネル３２により入力された情報に基づいて第１給紙装置駆動モータ５０、第２給紙装置駆動モータ５１を図示しない変速装置を介して制御し、これにより各給紙装置における変速数が得られる。
図３に示すように、操作パネル３２には、製版スタートキー３４、印刷スタートキー３５、試し刷りキー３６、ストップキー３７、テンキー３８、クリアキー３９、７セグメントＬＥＤからなる表示装置４０、ＬＣＤからなる印刷速度表示手段としての表示装置４１、給紙装置選択キー４２、印刷速度選択キー４３等が設けられている。
表示装置４０には各種の数値が置数され、表示装置４１は階層構造となっていて各種情報を表示する。
【００２７】
給紙装置選択キー４２を押すと、表示装置４１に第１給紙装置１４と第２給紙装置１５が表示され、いずれかを表示装置４１の画面上で選択できるようになっている。厳密には、第２給紙装置１５はさらに給紙カセット２０と給紙カセット２１に分けられ、何れかを選択できるようになっているが、本実施形態では何れが選択された場合でも第２給紙装置１５として取り扱うものとする。
一旦選択した後に給紙装置を変更する場合には、クリアキー３９を押して同様の手順を採る。給紙装置選択キー４２と表示装置４１により、給送装置選択・変更手段が構成される。
印刷速度選択キー４３を押すと、表示装置４１に６段階の印刷速度（１速が６０枚／分、２速が７５枚／分、３速が９０枚／分、４速が１０５枚／分、５速が１２０枚／分、６速が１３０枚／分）が表示され、いずれかを表示装置４１の画面上で選択できるようになっている。一旦選択した後に印刷速度を変更する場合には、クリアキー３９を押して同様の手順を採る。印刷速度選択キー４３と表示装置４１により印刷速度選択・変更手段が構成される。
【００２８】
例えば、第１給紙装置１４にＡ３サイズの印刷用紙１３が横方向にセットされ、第２給紙装置１５にＡ４サイズの印刷用紙１３が縦方向にセットされている場合に、操作パネル３２での印刷モード設定時に、初めに印刷設定速度６速を選択してから給紙装置を選択するときに、用紙サイズに合わせて第２給紙装置１５を選択すると、第２給紙装置１５にはＡ４サイズの印刷用紙１３が縦方向にセットされているので、６速で排紙ジャムを来たすことなく印刷できる。
しかしながら、第１給紙装置１４を選択した場合、第１給紙装置１４にはＡ３サイズの印刷用紙１３が横方向にセットされているので、印刷すると用紙サイズが長いために排紙ジャムが発生する場合がある。この場合、オペレータはジャムが発生して初めてこの最高速度（６速）で印刷できないことを認識でき、その後、印刷設定速度を５速に再設定して印刷をすることになる。
印刷してから用紙サイズが原因で排紙性能と印刷速度が合っていないことが分かるのでは、面倒なジャム処理やダウンタイムを避けられない。
【００２９】
本実施形態ではこのような不具合を防止することを目的としており、その制御動作を図４のフローチャートに基づいて説明する。
電源投入がなされると、前回設定された又は既定値としての印刷速度が表示装置４１に表示され（Ｓ１）、初期設定において給紙装置が選択される（Ｓ２）。
制御手段３３は第１給紙装置１４及び第２給紙装置１５における用紙サイズ検知データを、用紙サイズ検知センサ５３Ａ、５３Ｂ、５３Ｃからの出力データに基づいて読み込む（Ｓ３）。
次に、制御手段３３は給紙装置が変更されたかどうかをチェックし（Ｓ４）、変更された場合にはさらに第１給紙装置１４かどうかをチェックする（Ｓ５）。
【００３０】
第１給紙装置１４である場合には、操作パネル３２の表示装置４１に第１給紙装置１４が選択されたことを表示する（Ｓ６）。次いで、選択された給紙装置（第１給紙装置１４）の用紙サイズが所定長（ここでは３０９ｍｍ）より長いかどうかを読み込みデータに基づいて判断し（Ｓ７）、長くない場合には操作パネル３２の表示装置４１に６速を表示する（Ｓ８）。用紙サイズが排紙ジャムを生じる長さかどうかを判断する所定長の３０９ｍｍは実験的に求められる値であり、あくまでも一例である。実験等により予め求められた値が制御手段３３のＲＯＭに記憶されており、この値と用紙サイズ検知センサ５３の出力データとを比較して判断がなされる（以下の他の実施形態において同じ）。
ここでの「６速表示」は、上限（最高速度）を６速とする全ての段階を表示することを意味する。すなわち、排紙ジャムを来たすことなく使用できる適正な印刷速度の範囲を表示する。
【００３１】
オペレータはこの表示に基づいて、印刷速度選択キー４３を押して１〜６速の中から所望の印刷速度を選択する。Ｓ１における印刷速度をそのまま維持し、Ｓ１における印刷速度が１〜６速の範囲内にある場合には上記印刷速度の選択操作は不要である。本実施形態では６速を最高速度としているので当然範囲内にあることになる。
適正な印刷速度を範囲で表示せずに、適正な最高速度（ここでは６速）のみを表示するようにしてもよい。すなわち、これ以上の印刷速度は使用できない表示方式としてもよい（以下の他の実施形態において同じ）。
Ｓ５において、変更された給紙装置が第１給紙装置１４でない場合には操作パネル３２の表示装置４１に第２給紙装置１５が選択されたことを表示する（Ｓ９）。Ｓ７において、選択された給紙装置の用紙サイズが３０９ｍｍより長い場合には、操作パネル３２の表示装置４１に５速を表示する（Ｓ１０）。
【００３２】
オペレータはこの表示に基づいて、印刷速度選択キー４３を押して１〜５速の中から所望の印刷速度を選択する。Ｓ１における印刷速度をそのまま維持し、Ｓ１における印刷速度が１〜５速の範囲内にある場合には上記印刷速度の選択操作は不要である。
このような制御とすることにより、給紙装置の選択を変えたときでもオペレータは印刷用紙１３のサイズを気にしなくても、排紙ジャムを生じることなくその条件下における最高速度で印刷をすることが可能となる。
なお、第１給紙装置１４が６速で第２給紙装置１５が５速と仕様（変速数）が異なるときには、第２給紙装置１５が選択された場合、印刷用紙１３のサイズに関係なく印刷最高速度は５速になる。
【００３３】
図５及び図６に基づいて第２の実施形態を説明する。なお、上記実施形態と同一部分は同一符号で示し、特に必要がない限り既にした構成上及び機能上の説明は省略して要部のみ説明する（以下の他の実施形態において同じ）。
本実施形態では、図５に示すように、操作パネル３２に印刷用紙１３の種類を選択するための用紙種類選択キー５４が設けられている。
用紙種類選択キー５４を押すと、表示装置４１に厚紙、薄紙、普通紙、特殊紙等が表示され、いずれかを表示装置４１の画面上で選択できるようになっている。
一旦選択した後に印刷用紙１３の種類を変更する場合には、クリアキー３９を押して同様の手順を採る。用紙種類選択キー５４と表示装置４１により、記録媒体種類選択・変更手段が構成される。
【００３４】
例えば、第１給紙装置１４にＢ４サイズの厚紙の印刷用紙１３が横方向にセットされ、第２給紙装置１５にＢ４サイズの薄紙の印刷用紙１３が横方向にセットされている場合に、操作パネル３２で予め第１給紙装置１４の用紙種類を厚紙に、第２給紙装置１５の用紙種類を薄紙に設定しておく。
操作パネル３２での印刷モード設定時に、初めに印刷設定速度６速を選択してから厚紙を選択するために第１給紙装置１４を選択すると、第１給紙装置１４にはＢ４サイズの厚紙の印刷用紙１３が横方向にセットされているので、６速で排紙ジャムを来たすことなく印刷できる。
【００３５】
しかしながら、薄紙を選択するために第２給紙装置１５を選択した場合、第２給紙装置１５にはＢ４サイズの薄紙の印刷用紙１３が横方向にセットされているので、印刷すると用紙の腰の弱さにより排紙ジャムが発生する場合がある。この場合、オペレータはジャムが発生して初めてこの最高速度（６速）で印刷できないことを認識でき、その後、印刷設定速度を５速に再設定して印刷をすることになる。
印刷してから用紙種類が原因で排紙性能と印刷速度が合っていないことが分かるのでは、面倒なジャム処理やダウンタイムを避けられない。
【００３６】
本実施形態ではこのような不具合を防止することを目的としており、その制御動作を図６のフローチャートに基づいて説明する。
電源投入がなされると、前回設定された又は既定値としての印刷速度が表示装置４１に表示され（Ｓ１）、初期設定において給紙装置が選択される（Ｓ２）。
制御手段３３は第１給紙装置１４及び第２給紙装置１５における用紙種類データを、操作パネル３２での設定情報に基づいて読み込む（Ｓ３）。
次に、制御手段３３は給紙装置が変更されたかどうかをチェックし（Ｓ４）、変更された場合にはさらに第１給紙装置１４かどうかをチェックする（Ｓ５）。第１給紙装置１４である場合には、操作パネル３２の表示装置４１に第１給紙装置１４が選択されたことを表示する（Ｓ６）。次いで、選択された給紙装置（第１給紙装置１４）の用紙種類が薄紙かどうかを読み込みデータに基づいて判断し（Ｓ７）、薄紙でない場合には操作パネル３２の表示装置４１に６速を表示する（Ｓ８）。
【００３７】
オペレータはこの表示に基づいて、印刷速度選択キー４３を押して１〜６速の中から所望の印刷速度を選択する。Ｓ１における印刷速度をそのまま維持し、Ｓ１における印刷速度が１〜６速の範囲内にある場合には上記印刷速度の選択操作は不要である。
Ｓ５において、変更された給紙装置が第１給紙装置１４でない場合には操作パネル３２の表示装置４１に第２給紙装置１５が選択されたことを表示する（Ｓ９）。Ｓ７において、選択された給紙装置の用紙種類が薄紙の場合には、操作パネル３２の表示装置４１に５速を表示する（Ｓ１０）。
オペレータはこの表示に基づいて、印刷速度選択キー４３を押して１〜５速の中から所望の印刷速度を選択する。Ｓ１における印刷速度をそのまま維持し、Ｓ１における印刷速度が１〜５速の範囲内にある場合には上記印刷速度の選択操作は不要である。
【００３８】
このような制御とすることにより、給紙装置の選択を変えたときでもオペレータは印刷用紙１３の種類を気にしなくても、排紙ジャムを生じることなくその条件下における最高速度で印刷をすることが可能となる。
なお、第１給紙装置１４が６速で第２給紙装置１５が５速と仕様（変速数）が異なるときには、第２給紙装置１５が選択された場合、印刷用紙１３のサイズに関係なく印刷最高速度は５速になる。
【００３９】
図７に基づいて第３の実施形態を説明する。
例えば、第１給紙装置１４に不定型（例えば４２０ｍｍ×１５０ｍｍ）サイズの厚紙の印刷用紙１３が横方向にセットされ、第２給紙装置１５にＢ４サイズの薄紙の印刷用紙１３が横方向にセットされている場合に、操作パネル３２で予め第１給紙装置１４の用紙種類を厚紙に、第２給紙装置１５の用紙種類を薄紙に設定しておく。
操作パネル３２での印刷モード設定時に、初めに印刷設定速度６速を選択してから、用紙サイズから第２給紙装置１５を選択すると、第２給紙装置１５にはＢ４サイズの薄紙の印刷用紙１３が横方向にセットされているので、用紙サイズから見ると長さが３０９ｍｍよりも短く、６速で排紙ジャムを来たすことなく印刷できる。
しかしながら、用紙種類のデータを見ると、種類は薄紙なので、６速では排紙ジャムとなる場合がある。
この場合、オペレータはジャムが発生して初めてこの最高速度（６速）で印刷できないことを認識でき、その後、印刷設定速度を５速に再設定して印刷をすることになる。
印刷してから用紙種類が原因で排紙性能と印刷速度が合っていないことが分かるのでは、面倒なジャム処理やダウンタイムを避けられない。
【００４０】
本実施形態ではこのような不具合を防止することを目的としており、その制御動作を図７のフローチャートに基づいて説明する。
電源投入がなされると、前回設定された又は既定値としての印刷速度が表示装置４１に表示され（Ｓ１）、初期設定において給紙装置が選択される（Ｓ２）。
制御手段３３は第１給紙装置１４及び第２給紙装置１５における用紙サイズ検知データを、用紙サイズ検知センサ５３Ａ、５３Ｂ、５３Ｃからの出力データに基づいて読み込む（Ｓ３）。また、制御手段３３は第１給紙装置１４及び第２給紙装置１５における用紙種類データを、操作パネル３２での設定情報に基づいて読み込む（Ｓ４）。
【００４１】
次に、制御手段３３は給紙装置が変更されたかどうかをチェックし（Ｓ５）、変更された場合にはさらに第１給紙装置１４かどうかをチェックする（Ｓ６）。第１給紙装置１４である場合には、操作パネル３２の表示装置４１に第１給紙装置１４が選択されたことを表示する（Ｓ７）。次いで、選択された給紙装置（第１給紙装置１４）の用紙種類が薄紙かどうかを読み込みデータに基づいて判断し（Ｓ８）、薄紙でない場合には引き続いて選択された給紙装置（第１給紙装置１４）の用紙サイズが所定長（ここでは３０９ｍｍ）より長いかどうかを読み込みデータに基づいて判断し（Ｓ９）、長くない場合には操作パネル３２の表示装置４１に６速を表示する（Ｓ１０）。
【００４２】
オペレータはこの表示に基づいて、印刷速度選択キー４３を押して１〜６速の中から所望の印刷速度を選択する。Ｓ１における印刷速度をそのまま維持し、Ｓ１における印刷速度が１〜６速の範囲内にある場合には上記印刷速度の選択操作は不要である。
Ｓ６において、変更された給紙装置が第１給紙装置１４でない場合には操作パネル３２の表示装置４１に第２給紙装置１５が選択されたことを表示する（Ｓ１１）。Ｓ８において選択された給紙装置の用紙種類が薄紙の場合又はＳ９において選択された給紙装置の用紙サイズが３０９ｍｍより長い場合には、操作パネル３２の表示装置４１に５速を表示する（Ｓ１２）。
オペレータはこの表示に基づいて、印刷速度選択キー４３を押して１〜５速の中から所望の印刷速度を選択する。Ｓ１における印刷速度をそのまま維持し、Ｓ１における印刷速度が１〜５速の範囲内にある場合には上記印刷速度の選択操作は不要である。
【００４３】
図８及び図９に基づいて第４の実施形態を説明する。
本実施形態では第１給紙装置１４に大量給紙ユニット（単に「ＬＣＩＴ」ともいう）を接続することを特徴としている。
図８に示すように、大量給紙ユニット５５は、給紙本体部５６と、先端部が印刷用紙１３を受け渡し可能に第１給紙装置１４に接続される中間搬送部５７を有している。給紙本体部５６には、図示しない駆動機構（給紙モータ、ピニオンギア、ラックを有する）によりエレベータ方式で昇降する給紙台５８と、該給紙台５８に積載される印刷用紙１３の先端部を揃える前板５９と、給紙コロ６０と、分離コロ６１等が設けられている。
給紙台５８には、印刷用紙１３の有無を検知する用紙センサ６２、印刷用紙１３の給紙方向の長さを検知する用紙サイズ検知センサ６３、印刷用紙１３の給紙方向と直交する幅方向の長さを検知する図示しない用紙幅検知センサ等が設けられている。本実施形態における給紙台５８の最大積載容量は３０００枚である。
大量給紙ユニット５５の中間搬送部５７は、搬送路６４と、該搬送路６４を開放可能なカバー６５と、カバー６５に設けられ、印刷用紙１３を検知する図示しない用紙センサ等を有している。
【００４４】
大量給紙ユニット５５と孔版印刷装置の制御手段３３とは通信が可能で、大量給紙ユニット５５は印刷速度データや給紙開始信号などの情報を制御手段３３から受信し、用紙サイズデータ、用紙有無情報などの情報を制御手段３３へ送信する機能を有している。
用紙サイズ検知センサ６３は用紙先端から３０９ｍｍの位置に配置されており、用紙サイズが３０９ｍｍより長いかどうかの判断が可能となっている。印刷用紙１３の幅検知は、図示しない一対のサイドフェンスの移動量に基づく周知の検知構成となっている。
上記のようにカバー６５には用紙センサが設けられており、これを用いて印刷用紙１３の長さを算出することもできる。この場合には用紙サイズ検知センサ６３は用いなくてもよい。
【００４５】
本実施形態では大量給紙ユニット５５から送信される用紙サイズデータに基づいて印刷速度を決定することを特徴としている。
例えば、大量給紙ユニット５５の給紙台５８にＡ３サイズの印刷用紙１３が横方向にセットされ、第２給紙装置１５にＡ４サイズの印刷用紙１３が縦方向にセットされている場合に、操作パネル３２での印刷モード設定時に、初めに印刷設定速度６速を選択してから給紙装置を選択するときに、用紙サイズに合わせて第２給紙装置１５を選択すると、第２給紙装置１５にはＡ４サイズの印刷用紙１３が縦方向にセットされているので６速で排紙ジャムを来たすことなく印刷できる。
【００４６】
しかしながら、第１給紙装置１４を選択した場合、第１給紙装置１４には大量給紙ユニット５５が接続され、大量給紙ユニット５５にはＡ３サイズの印刷用紙１３が横方向にセットされているので、印刷すると排紙ジャムが発生する場合がある。
この場合、オペレータはジャムが発生して初めてこの最高速度（６速）で印刷できないことを認識でき、その後、印刷設定速度を５速に再設定して印刷をすることになる。
印刷してから用紙サイズが原因で排紙性能と印刷速度が合っていないことが分かるのでは、面倒なジャム処理やダウンタイムを避けられない。
【００４７】
本実施形態ではこのような不具合を防止することを目的としており、その制御動作を図４のフローチャートに基づいて説明する。
電源投入がなされると、前回設定された又は既定値としての印刷速度が表示装置４１に表示され（Ｓ１）、初期設定において給紙装置が選択される（Ｓ２）。
制御手段３３は第１給紙装置１４に大量給紙ユニット５５が接続されているかどうかをチェックし（Ｓ３）、接続されていない場合には第１給紙装置１４における用紙サイズ検知データを用紙サイズ検知センサ５３Ａからの出力データに基づいて読み込むとともに（Ｓ４）、第２給紙装置１５における用紙サイズ検知データを用紙サイズ検知センサ５３Ｂ、５３Ｃからの出力データに基づいて読み込む（Ｓ５）。
【００４８】
次に、制御手段３３は給紙装置が変更されたかどうかをチェックし（Ｓ６）、変更された場合にはさらに第１給紙装置１４かどうかをチェックする（Ｓ７）。第１給紙装置１４である場合には、操作パネル３２の表示装置４１に第１給紙装置１４が選択されたことを表示する（Ｓ８）。次いで、選択された給紙装置（第１給紙装置１４）の用紙サイズが所定長（ここでは３０９ｍｍ）より長いかどうかを読み込みデータに基づいて判断し（Ｓ９）、長くない場合には操作パネル３２の表示装置４１に６速を表示する（Ｓ１０）。
【００４９】
オペレータはこの表示に基づいて、印刷速度選択キー４３を押して１〜６速の中から所望の印刷速度を選択する。Ｓ１における印刷速度をそのまま維持し、Ｓ１における印刷速度が１〜６速の範囲内にある場合には上記印刷速度の選択操作は不要である。
Ｓ３において、第１給紙装置１４に大量給紙ユニット５５が接続されている場合には、大量給紙ユニット５５から送信される用紙サイズデータを読み込む（Ｓ１１）。
Ｓ７において、変更された給紙装置が第１給紙装置１４でない場合には操作パネル３２の表示装置４１に第２給紙装置１５が選択されたことを表示する（Ｓ１２）。Ｓ９において、選択された給紙装置の用紙サイズが３０９ｍｍより長い場合には、操作パネル３２の表示装置４１に５速を表示する（Ｓ１３）。
【００５０】
オペレータはこの表示に基づいて、印刷速度選択キー４３を押して１〜５速の中から所望の印刷速度を選択する。Ｓ１における印刷速度をそのまま維持し、Ｓ１における印刷速度が１〜５速の範囲内にある場合には上記印刷速度の選択操作は不要である。
このような制御とすることにより、給紙装置の選択を変えたときでもオペレータは印刷用紙１３のサイズを気にしなくても、排紙ジャムを生じることなくその条件下における最高速度で印刷をすることが可能となる。
なお、第１給紙装置１４が６速で第２給紙装置１５が５速と仕様（変速数）が異なるときには、第２給紙装置１５が選択された場合、印刷用紙１３のサイズに関係なく印刷最高速度は５速になる。
【図面の簡単な説明】
【００５１】
【図１】本発明の第１の実施形態における印刷装置としての孔版印刷装置の概要正面図である。
【図２】制御ブロック図である。
【図３】操作パネルの要部平面図である。
【図４】制御動作を示すフローチャートである。
【図５】第２の実施形態における操作パネルの要部平面図である。
【図６】第２の実施形態における制御動作を示すフローチャートである。
【図７】第３の実施形態における制御動作を示すフローチャートである。
【図８】第４の実施形態における印刷装置としての孔版印刷装置の概要正面図である。
【図９】第４の実施形態における制御動作を示すフローチャートである。
【符号の説明】
【００５２】
１４  給送装置としての第１給紙装置
１５  給送装置としての第２給紙装置
３２  操作パネル
３３  制御手段
４１  印刷速度表示手段としての表示装置
５３  記録媒体サイズ検知手段としての用紙サイズ検知センサ
５５  大量給紙ユニット
【図１】
2006110792.tif 000003
【図２】
2006110792.tif 000004
【図３】
2006110792.tif 000005
【図４】
2006110792.tif 000006
【図５】
2006110792.tif 000007
【図６】
2006110792.tif 000008
【図７】
2006110792.tif 000009
【図８】
2006110792.tif 000010
【図９】
2006110792.tif 000011